(57)【特許請求の範囲】
【請求項１】
固定台座と固定台座から引出し可能な可動台座とに分割して構成された台座と、
固定台座および可動台座の周面に沿って設けられて台座上の全周に広告面を形成する縦方向に分割された複数の広告パネルと、
固定台座に設けられた広告パネルの背後でその周面に沿って固定台座に形成されて、固定台座上の広告パネルの背後への可動台座上の広告パネルの移動をガイドするガイド手段とを備え、
可動台座の下面に転動部材を設けるとともに、転動部材をガイドして固定台座との当接位置から可動台座を引出すガイドレールを固定台座の床下から伸ばしたことを特徴とする中空形状の広告用柱体。
【請求項２】
固定台座と固定台座から引出し可能な可動台座とに分割して構成された台座と、
固定台座および可動台座の周面に沿って設けられて台座上の全周に広告面を形成する縦方向に分割された複数の広告パネルと、
固定台座に設けられた広告パネルの背後でその周面に沿って固定台座に形成されて、固定台座上の広告パネルの背後への可動台座上の広告パネルの移動をガイドするガイド手段とを備え、
可動台座の下面に転動部材を設けるとともに、転動部材をガイドして固定台座との当接位置から可動台座を引出すガイドレールを固定台座の床下から伸ばし
引出された可動台座の下面の係合する可動台座のストッパをガイドレールに設けたことを特徴とする中空形状の広告用柱体。
【請求項３】
固定台座と固定台座から引出し可能な可動台座とに分割して構成された台座と、
固定台座および可動台座の周面に沿って設けられて台座上の全周に広告面を形成する縦方向に分割された複数の広告パネルと、
固定台座に設けられた広告パネルの背後でその周面に沿って固定台座に形成されて、固定台座上の広告パネルの背後への可動台座上の広告パネルの移動をガイドするガイド手段とを備え、
可動台座の下面に転動部材を設けるとともに、転動部材をガイドして固定台座との当接位置から可動台座を引出すガイドレールを固定台座の床下から伸ばし、
引出された可動台座の下面の係合する可動台座のストッパをガイドレールに設け、
ストッパとの係合位置への可動台座の引出によって生じる可動台座、固定台座の隙間に等しい長さのステップ板を可動台座、固定台座のいずれか一方に回動可能に係合・保持し、
ステップ板の回動を限定して台座と同一平面でステップ板を保持するステップ板のストッパを可動台座、固定台座の残る他方に設けたことを特徴とする中空形状の広告用柱体。
【請求項４】
固定台座上の広告パネルの内部を遮蔽する遮蔽壁を固定台座上に設けるとともに、幅の異なる大小２種類の外開きのドアを遮蔽壁に設けた請求項１〜３記載の中空形状の広告用柱体。
【発明の詳細な説明】
【０００１】
【発明の属する技術分野】
この発明は、外面に広告パネルを設けた宣伝・広告機能の高い中空形状の広告用柱体に関する。
【０００２】
【従来の技術】
円形(楕円を含む)または多角形の柱形状の外面に広告パネルを設けた中空形状の広告用柱体が、駅、空港、商店街のコンコースなどの、歩行者の通行量の多い場所に配置されている。
【０００３】
広告パネルは、たとえば、基板（たとえば薄い鉄板）の表面に写真製版のカラーポスタ−を貼付して形成され、広告用柱体の外面に沿って複数の広告パネルを縦方向または（および）横方向に張り巡らして広告用柱体が構成されている。広告用柱体は、たとえば円形（楕円を含む）、または、四角形、六角形、八角形などの多角形からなる中空の柱形状とされ、下の台座の張出しや上の天井の庇に設けたスポットライトなどを照射することにより、夜間はもちろん、昼間においても通行者の人目を引き、大きな広告・宣伝機能を果たしている。
【０００４】
なお、写真製版のポスタ−のような固定の映像に代えて、液晶ディスプレイなどに静止画、動画等の映像を投影して広告パネルとする広告用柱体もある。
【０００５】
広告用柱体は、円形（楕円を含む）または多角形の柱形状であるため、外面全体に広告パネルを設けることができ、あらゆる方向から視認されるため、その広告・宣伝機能は高い。また、中空であるため、軽量化できる。
【０００６】
【発明が解決しようとする課題】
広告用柱体の有効面積、つまり、広告パネルの設けられる面積は、広告用柱体の展開面積（縦の長さ×横の展開長さ）となる。ここで、視線を極端に下や上にすると目の疲労を招くため、好ましい視線の範囲はおのずから限定され、広告用柱体の縦方向の長さ（高さ）は３ｍ〜４ｍ程度に限定される。そのため、広告用柱体の有効面積を大きくするためには、横の展開長さ、つまりは、円形においては直径（楕円では長径、短径）、多角形においてはその内接円（または外接円）の直径を大きく設定することが必要となる。たとえば、円柱形の広告用柱体において、高さを３ｍ、直径を３ｍ程度とした円柱形の広告用柱体をコンコースなどに設置すれば、かなりのスペ−スが占有される。
【０００７】
コンコースのような歩行者の通行量の多い場所では、人出を見込んで各種のイベントがしばしば開催されている。イベントではイベントステージが設定され、例えば、地方の特産物を紹介するイベントでは、特産物を展示・即売するコーナーや試食品コーナー等がイベントステージに設けられ、特産物、観光地、ホテルなどを紹介するカタログが頒布されている。
【０００８】
広告用柱体もイベントも人出を見込んで歩行者の多い場所に設けられるものであるため、広告用柱体の設けられたコンコースでイベントを開催することがよくある。ここで、広告用柱体は常設されるが、イベントは、たとえば一週間といった期間を限定して、または、土曜日曜などの休日に限って開催される。広告用柱体の常設されたコンコースでイベントを開催すると、イベント開催中、広告用柱体に加えてイベントステージによってコンコースのスペースが占有され、歩行者の流れを妨げるおそれがある。そのため、広告用柱体の設置されたコンコ−スなどでは、イベントステージ設定のスペース上の問題からイベントの開催が容易でない。
【０００９】
また、イベント開催のために、展示・即売品をのせる台、机や、垂れ幕、広告パネルなどの備品を搬入してイベントステージを設定し、展示・即売品などを見栄え良く展示しなければならない。イベントは、一週間といった期間を限定して、または、土曜日曜などの休日に限って開催されるため、台、机、垂れ幕、広告パネルなどの備品や展示・即売品を早朝に搬入して、イベントステージを設定し、展示・即売品を展示し、夜、イベントステージを解体して搬出する必要がある。そして、イベント開催期間中、このような搬入、展示、搬出を繰り返さねばならず、準備作業に手間を要している。
【００１０】
最近では、最小限の展示・即売品を搬出して夜間もイベントステージを設定したまま維持し、警備員を常駐させて警備することもある。しかし、この方法では、準備作業が簡略化されるとはいえ、警備員派遣のための費用が展示・即売品の価格に反映して好ましくない。
【００１１】
そのため、スペース的な制約を受けることなく、人出の多い場所でイベントを任意に開催することが切望されている。また、煩雑な準備作業の簡便化も求められている。
【００１２】
この発明は、このような要望に鑑みなされたものであり、その目的は、イベントステ−ジを設定可能な中空柱形状の広告用柱体の提供にある。
【００１３】
【課題を解決するための手段】
この目的を達成するために、この発明の一実施例によれば、固定台座と固定台座から引出し可能な可動台座とに分割して構成された台座と；固定台座および可動台座の周面に沿って設けられて台座上の全周に広告面を形成する縦方向に分割された複数の広告パネルと；固定台座に設けられた広告パネルの背後でその周面に沿って固定台座に形成されて、固定台座上の広告パネルの背後への可動台座上の広告パネルの移動をガイドするガイド手段とを備え；可動台座の下面に転動部材を設けるとともに、転動部材をガイドして固定台座との当接位置から可動台座を引出すガイドレールを固定台座の床下から伸ばしている。ここで、引出された可動台座の下面の係合する可動台座のストッパをガイドレールに設けてもよい。また、ストッパとの係合位置への可動台座の引出によって生じる可動台座、固定台座の隙間に等しい長さのステップ板を可動台座、固定台座のいずれか一方に回動可能に係合・保持し、ステップ板の回動を限定して台座と同一平面でステップ板を保持するステップ板のストッパを可動台座、固定台座の残る他方に設けてもよい。
【００１４】
この発明では、可動の広告パネルを固定の広告パネルの背後に移動、収納することにより、可動の広告パネルの位置していた可動台座上で中空形状の広告用柱体の内部空間が開放されて、台座上に開放されたスペースが設定される。そして、この台座上のスペースをイベントステージとすれば、スペース上の制約を受けることなく、中空形状の広告用柱体でイベントが任意に開催できる。
そして、台座が可動台座と固定台座に分割されており、固定台座から可動台座を引出すことにより、台座上のスペースを広く確保できる。
【００１５】
台座上のスペースをイベントステージとして展示・即売品を展示することにより、イベントが開催でき、可動の広告パネルをもとの位置に戻せば、展示・即売品を展示したまま、広告用柱体の内部のスペースが隠される。つまり、展示・即売品を一旦展示すれば足り、搬入、展示、搬出を繰り返す必要がないため、煩雑な準備作業が不要となる。
【００１６】
【発明の実施の形態】
以下、図面を参照しながらこの発明の実施の形態について詳細に説明する。
【００１７】
この発明に係る広告用柱体１０の一実施例を図１に示す。ここで、図１（Ａ）は正面図、図１（Ｂ）は平面図である。広告用柱体１０は、台座１２と、天井１４と、台座、天井間に設けられた広告パネル１６とを備えて構成されている。なお、図１（Ｂ）では、図面の複雑化を防ぐために、天井１４を一点鎖線で示している。実施例では、台座１２は張出し１３を一部に有した円形形状に、天井１４は庇１５を持つ六角形状に形成されているとはいえ、広告用柱体１０そのものは中空の円形柱形状となっている。なお、後述するように、張出し１３のあるサイドが前面となり、このサイドにイベントステージが設定される。
【００１８】
広告用柱体１０は中空の柱形状であれば足り、円形（楕円を含む）に限定されず、四角形、六角形、八角形などの多角形としてもよい。また、台座１２、天井１４の形状も図示のものに限定されない。さらに、広告用柱体１０は独自の天井１４を備えて構成されているが、広告用柱体の設置される場所の天井(例えば、コンコースの天井)を転用することもでき、この場合には独自の天井１４は省略できる。
【００１９】
広告パネル１６は、たとえば、基板（たとえば薄い鉄板）の表面に写真製版のカラーポスターを貼付して形成され、実施例では、Ｂ０サイズのカラーポスターを縦長の基板に２枚組合わせて１つの広告パネル１６が構成され、このような広告パネルが縦方向に分割されて３０°の間隔で広告用柱体１０の外周全面に貼付されている。つまり、１２枚の広告パネル１６−１〜１６−１２から広告用柱体１０の広告面が形成されている。ここで、カラーポスターのような固定の映像に代えて、静止画、動画等の映像を液晶ディスプレイなどに投影して広告パネル１６を構成してもよい。
【００２０】
Ｂ０サイズのカラーポスターを二段に１２枚貼付した広告用柱体１０は、高さ2100m、直径2790mmとなり、全面広告の巨大な広告塔となる（台座１２、天井１４も加えれば、高さ2560mm、幅3800mmとなる）。天井１４の背面図を示す図２からわかるように、天井の庇１５には、照明器具１８、たとえば、２本六組の棒状の蛍光灯１８ａが４５°離反して全周に配置され、１２組の広告パネル１６−１〜１６−１２に照射されて、カラーポスターを照らす広告用柱体１０は、その巨大さと併せて歩行者の目を引いて魅了し、その広告・宣伝効果はきわめて大きい。なお、４つのスポットライト１８ｂが台座の張出し１３の上部で天井の庇１５に配置されており、このスポットライトは、後述するイベントステージのために設けられている。
【００２１】
この発明では、広告用柱体１０は巨大な広告塔としての一般的な機能だけでなく、その一部をイベントステージに変身させることができるように構成されている。すなわち、縦方向に分割された１２枚の広告パネルの一部、実施例では、６枚の広告パネルが可動となっており、この可動の広告パネル（可動パネル）が、台座上のガイド手段２０に導かれて、残る６枚の固定の広告パネル（固定パネル）の背後に移動・収納されることにより、台座１２の上にイベントステージ（イベントスペース）を設定する構成となっている。もちろん、実施例の形状に限定されず、可動パネルの数や固定パネルに対する可動パネルの位置などは任意に選択できる。
【００２２】
図１（Ａ）からわかるように、台座１２は可動パネル（可動の広告パネル）１６−１〜１６−３、１６−１０〜１６−１２の前方で張出しており、張出し１３の長さは６枚の可動パネルに対応する長さとなっている。
【００２３】
台座の拡大平面図を示す図３（Ａ）からわかるように、可動パネル（可動の広告パネル）１６−１〜１６−３、１６−１０〜１６−１２の設置位置から固定パネル（固定の広告パネル）１６−４〜１６−９の背後にかけて凹状のガイド溝が台座上に形成され、このガイド溝がガイド手段２０となっている。そして、図３（Ｂ）に示すように、可動パネルの下端に転動手段２２、たとえば、軸受付のローラが取付けられており、ローラの転動によって可動パネルはガイド溝（ガイド手段）２０内を円滑に移動して固定パネルの背後に収納される。なお、ガイド溝に対応するものが天井１４にも形成されて、可動パネル１６ー１〜１６−３、１６−１０〜１６−１２の動きを許容していることはいうまでもない。
【００２４】
実施例では、６つの可動パネルのうち、３つずつをたとえばヒンジで連結して２組に分け、左の３つの可動パネル１６−１〜１６−３は固定パネル１６−４〜１６−６の背後に一体的に移動して収納され、右の３つの可動パネル１６−１０〜１６−１２は固定パネル１６−７〜１６−９の背後に一体的に移動して収納されるように構成されている。
【００２５】
このように可動パネルを２つに分割することにより、可動パネルを左右に分けて移動・収納でき、さらに分割した可動パネルを連結しているため、左右一度ずつの移動で足り、可動パネルを迅速、容易に収納できる。もちろん、通常は、施錠装置（図示しない）でたとえば左右の端の可動パネル１６−３、１６−１０の動きを拘束して１２枚の広告パネル１６でその全周を覆った状態に、広告用柱体１０は維持されている。
【００２６】
なお、ガイド溝２０は、固定パネルに隣接する可動パネル１６−３、１６−１０の背後で幅広となっており、矢視Ｘで押力方向を示すように、可動パネル１６−３、１６−１０を内方に押して幅広部２０ａに移してから奥に押せば、固定パネルの背後に可動パネルが移動し収納される。つまり、幅広部２０ａは導入部であり、左右２つの導入部が設けられている。
【００２７】
イベントステージ設定のために、まず、施錠装置による可動パネル１６−３、１６−１０の拘束が解除される。それから、図３（Ａ）において、可動パネル１６−１〜１６−３からなる左の可動パネル群を時計回りに、可動パネル１６−１０〜１６−１２からなる右の可動パネル群を反時計回りに回動させて、６つの可動パネル１６−１〜１６−３、１６−１０〜１６−１２が、隣接する固定パネル１６−４〜１６−６、１６−７〜１６−９の背後にそれぞれ収納される。可動パネル下端の転動手段２２がガイド溝２０を転動するため、可動パネルは円滑に移動し、収納される。また、可動パネルは固定パネルの背後で並んで収納されるため、収納厚さが小さくなる。つまり、収納スペースが小さく、有効スペースを大きく設定できる。
【００２８】
図４に可動パネルを収納した状態を示し、図４（Ａ）は広告用柱体１０の概略右側面図、図４（Ｂ）は天井を除いたその概略平面図、図４（Ｃ）は広告用柱体の概略正面図である。６枚の可動パネルが収納されることにより、図４（Ａ）（Ｂ）からよくわかるように、張出し１３の背後で台座１２の上部が開放され、広告用柱体１０の中空の内部に開放されたスペ−ス２６が形成される。そして、このスペース２６をイベントステージ（イベントスペース）として広告用柱体１０においてイベントが開催される。
【００２９】
たとえば、特産物を展示・即売するコーナーや試食品コーナー等がイベントステージ２６に設けられ、特産物、観光地、ホテルなどを紹介するカタログをイベントステージに置いて頒布される。そして、天井の庇１５に設けたスポットライト１８ｂが点灯されて、イベントステージ２６を華麗に演出する。
【００３０】
可動パネルの位置する台座１２に張出し１３を設けているため、張出し相当分だけイベントステージ２６が広く設定できる。また、イベントステージ用のスポットライト１８ｂを含めて全ての照明器具１８が天井の庇１５に設けられ、台座に照明器具などの障害物はないため、平坦なスペースが得られる。
【００３１】
このように、可動パネル１６−１〜１６−３、１６−１０〜１６−１２を固定パネル１６−４〜１６−９の背後に移動・収納することにより、台座の一部がイベントステージ２６に直ちに変身して、広告用柱体１０がイベントステージを兼ねる。そして、イベントステージ２６に展示・即売品などを展示すれば、スペース上の制約を受けることなく、イベントが任意に開催できる。
【００３２】
また、収納位置から可動パネルをもとの位置に戻せば、展示・即売品を展示したままの状態でイベントステージが隠され、搬入、展示、搬出を繰り返す必要がなく、煩雑な準備作業が不要となる。可動パネルがもとの位置に戻されれば、可動パネル１６ー３、１６ー１０が施錠されて、広告用柱体１０は１２枚の広告パネル１６でその全周を覆った姿に戻されて本来の宣伝・広告機能を遂行する。内部のイベントステージ２６に展示・即売品を展示したままでも、施錠しているため、広告用柱体１０の回りに夜間、警備員を配置する必要はない。
【００３３】
図２に示すように、照明器具を任意に取付けるためのライテイングレール１９が、前面サイド（張出し１３が台座１２にあるサイド）で天井１４に設けられており、イベントに関連する垂れ幕、ポスター(写真、地図を含む)などをライテイングレールに懸架すれば、台座上の空間をイベントステージ２６として華麗かつ有効に利用できる。
【００３４】
イベントでは、特産品などの展示・即売品やカタログをストックしたり、イベント要員（スタッフ）のユニフォームや飲み物などを保管してスタッフの着替えなどのできる倉庫のようなスペースが近くにあることが好ましい。
【００３５】
天井１４を支えるための心柱２８が中空形状の広告用柱体１０の中心に設けられている。そのため、実施例ではこの心柱２８の左右に遮蔽手段３０（図３（Ａ）参照）を設けて、遮蔽手段の背後を倉庫とし、遮蔽手段の前面をイベントステージ２６としている。たとえば、遮蔽手段３０は鋼板からなる遮蔽壁から構成され、遮蔽壁の一部にドア３１を設けている（図４（Ｃ）参照）。ここで、遮蔽壁３０に美的な装飾を施せば、イベントの背景が美化され、彩りを付加できる。
【００３６】
図４（Ａ）（Ｂ）からよくわかるように、可動パネルの移動によって生じたスペースをドア付の遮蔽壁からなる遮蔽壁（遮蔽手段）３０で隔離し、その背後の閉じたスペースを倉庫（倉庫スペース）２６ａに、その前面の開放したスペースをイベントステージ２６として、イベントステージのすぐ脇に倉庫スペースを確保している。そして、遮蔽壁３０にドア３１を設けているため、倉庫スペース２６ａに任意に出入りでき、倉庫スペースにたとえば特産品などの展示・即売品やカタログをストックしておけば、すぐに補充できる。
【００３７】
また、この倉庫スペース２６ａに、イベントスタッフのユニフォームや飲み物などを保管することにより、スタッフの着替えや休憩が適宜行なえる。
【００３８】
ここで、ドア３１の大きさ（幅）を大きく取れば、大きなものが倉庫スペース２６ａに出し入れできる反面、ドアの開放サイドの有効利用が妨げられる。また、ドア３１を内開きとすれば、ドア背後の空間がドア開閉の障害となり、倉庫スペース２６ａが有効に利用できず、外開きとすれば、ドアの開閉がイベントステージ２６の展示の障害となる。
【００３９】
そのため実施例では、図３（Ａ）からよくわかるように、ドア３１を外開きとすることにより倉庫スペース２６ａを有効に利用するとともに、図４（Ｃ）に示すように、ドアを大小２つのドア３１−１、３１−２に分割して心柱２８の左右に設け、大きな幅のドア３１ー１によって大きな物の出し入れを確保し、通常は小さな幅のドア３１ー２で出入りすることとしている。
【００４０】
ここで、ドア３１−１、３１−２を広告用柱体１０の中心の心柱２８の回りで回動させて、その開口が半径方向外方に設定される構成としているため、半径方向外方に必要最小限の開口を開けるだけで倉庫スペース２６ａに出入りできる。そのため、小さな幅のドア３１ー２を利用すれば、イベントステージ２６の展示にほとんど影響することなく倉庫スペース２６ａに出入りして、イベント開催中でも展示・即売品やカタログが容易に補充できる。
【００４１】
可動パネルが移動して除かれると、イベントステージ２６の設定される台座上にガイド溝（ガイド手段）２０が残される。しかし、ガイド溝２０は凹形状であるため、突起ほど邪魔にならず、造花などでガイド溝を飾れば有効に利用できる。また、ガイド溝２０にゴム片などで埋めることにより同一平面が容易に確保でき、台座上にガイド溝が残っても実務上支障はない。
【００４２】
図４（Ｃ）に示すように、棚を取付けるための取付け孔３２が、大小のドア３１−１、３１−２を含めて遮蔽壁（遮蔽手段）３０の全面に形成されている。実施例では、大きなドア３１−１に３つ、小さなドア３１−２に２つ、ドア以外の遮蔽壁に２つの取付け孔３２が形成され、一段７つの取付け孔３２が４段設けられている。
【００４３】
このように、取付け孔３２を上下左右に設けることによって、棚を水平、垂直方向に任意に取付けることができ、棚に展示・即売品を置いたり、花を飾るなどして、イベントステージ２６を有効に利用しながら、美的に演出できる。なお、ドアの開閉を確保するように、水平方向の棚はドア３１−１、３２−２に分離して取付けられる。
【００４４】
遮蔽手段３０として、鋼板のような剛体の遮蔽壁に代えて布のカーテンやアコーデオンカーテンのような軟質の遮蔽壁を利用してもよい。カーテンを遮蔽壁とすれば、イベントステージ２６の展示に何ら影響することなく、出入りできる。遮蔽壁となるカーテンとして、イベントにふさわしい華やかな絵柄のものを利用するとよい。
【００４５】
また、ドア３１を外開きドアでなく、スライドするドアとしてもよい。スライド式ドアでは、外側に位置する戸袋またはドアに棚用の孔をあけて、水平、垂直な棚を吊ることとなる。
【００４６】
カーテンのような軟質の遮蔽壁３０は、鋼板のような剛体の遮蔽壁に対して、出入りの容易さでは優る。しかし、天井１４がかなりの重量を有しているため、天井を支える強度の点からは遮蔽壁３０を鋼板のような剛体から構成することが好ましい。なお、剛体から遮蔽壁３０を構成してドア３１を設けた場合、実施例のような外に開くドアとすれば、ドアも含めて遮蔽壁の全面に棚を設けることができる（スライド式ドアではドアを収納したとき、ドアが戸袋の内に収納されるタイプではドアに棚が設けられず、ドアが戸袋の外側にくるタイプでは戸袋に棚が設けられず、どちらでも、遮蔽壁の全面に棚が設けられない）。
【００４７】
さらに実施例では、広告パネル１６の一部を可動としてイベントステージ２６を確保するだけでなく、台座１２の一部を可動とし、引き出してイベントステージを広く確保できるようになっている。
【００４８】
つまり、台座１２は、固定パネルの位置する台座１２ａと、可動パネルの位置する台座１２ｂとに分離して構成され、台座１２ｂがガイドレール３６に導かれて可動となっている（図３（Ａ）参照）。また、図４（Ａ）に示すように、可動台座１２ｂのその下面に転動手段、たとえば軸受付のローラ３８が左右２つずつ計４つ設けられている（図では２つを示す）。
【００４９】
たとえば、ガイドレール３６は断面コ形状の鋼菅からなり、図３（Ａ）に示すように、固定台座１２ａの床下の一連の梁のうち、その３５ａに溶着されて、可動台座１２ｂの横梁３５ｂを貫通して伸び、その先端にＬ形状のストッパ３７が溶着されている。そして、ガイドレール３６は、水平方向に十分離反して２本並行に設けられている。
【００５０】
このように固定台座１２ａに固定したガイドレール３６が、可動台座１２ｂの横梁３５ｂを貫通して伸びている構成では、図３（Ａ）において、矢視Ｙのように可動台座を手前に引けば、可動台座下面のローラ３８が転動しガイドレール３６に導かれて、可動台座は、固定台座と接する図３（Ａ）の位置（当接位置）からさほど大きな力を加えることなく手前に容易に引出される。
【００５１】
ここで、ガイドレール３６の先端のストッパ３７と可動台座１２ｂの横梁３５ｂとの距離をＬとすれば、可動台座が距離Ｌだけ引出されると、ストッパ３７が横梁３５ｂに係合して自動的に停止する。このように、ストッパ３７によって可動台座１２ｂの引出し位置が限定され、常に所定位置（最大引出位置）まで可動台座を引出せる。また、十分離反した２本のガイドレール３６にガイドされているため、可動台座１２ｂを平行かつ円滑に引出すことができる。
【００５２】
可動台座１２ｂが、距離Ｌだけ引出されると、固定台座１２ａとの間に距離Ｌの隙間が生じ、この隙間は幅Ｌのステップ板４０の架設によって埋められる。
【００５３】
たとえば、ステップ板４０は、固定台座１２ａに回動可能に取付けられ、心柱２８から伸ばしたワイヤ先端のフック（図示しない）をステップ板の自由端に係合させてステップ板を図５（Ａ）に示すように傾斜位置で保持する。また、ステップ板４０の回動を限定して、台座と同一平面で保持するストッパ４２が、可動台座１２ｂに設けられている。そのため、ストッパ３７で限定される所定位置まで可動台座１２ｂを引出してから、フックによる係合を解除すれば、図５（Ａ）（Ｂ）に示すように、ステップ板４０はストッパ４２に限定されるまで自重で回動して、台座と同一平面を自動的に設定する。
【００５４】
このように、所定位置（最大引出位置）まで可動台座１２ｂを引出すことによって生じた隙間が、ステップ板４０の係合を解くだけで、ステップ板で自動的に埋められ、広いイベントスペースが迅速、容易に得られる。
【００５５】
ステップ板４０は、固定台座１２ａ、可動台座１２ｂのいずれかに回動可能に取付けられ、図示のようにステップ板を固定台座に設ければ、ストッパ４２は可動台座に設けられる。実施例とは逆にステップ板４０を可動台座１２ｂに設ければ、ストッパ４２は固定台座に設けられる。
【００５６】
イベントステージ２６を広く設定するために可動台座１２ｂを引出せば、広告用柱体１０の占有するスペースが拡大する。しかし、イベントステージ２６を広告用柱体１０と無関係に独立して設けた場合の占有スペースに比較して、可動台座１２ｂの引出しによる広告用柱体の占有スペースの増加はきわめて僅かであり、実務上問題とならない。
【００５７】
なお、実施例では、台座１２を固定台座１２ａと可動台座１２ｂとに分割し、ガイドレール３６を固定台座、可動台座間に架設するとともに、ローラ３８を可動台座に設けて、可動台座の移動を確保している。この構成では、４つのローラ３８で可動台座１２ｂを支えることとなり、ローラにかかる荷重が大きい。そのため、アジャスター４４を可動台座１２ｂの下面に設けて、アジャスターで可動台座を支えることが好ましい。
【００５８】
たとえば、アジャスター４４は、可動台座１２ｂに取付けたボルトの下端に大径のナットを螺合させた公知の構成とされ、通常は、ナットまたはボルトが接地して、ローラ３８を浮き上がらせて、アジャスターで可動台座１２ｂの荷重を受ける。そして、可動台座１２ｂを引出す場合には、ローラ３８が接地する位置までナットを回動させてアジャスター４４の接地を解除し、ローラの転動を可能とする。実施例では、外部からナットの回動可能な位置で可動台座１２ｂの前端、後端に２つずつ計４つのアジャスター４４が設けられている。
【００５９】
実施例では、イベントステージ２６は１８０°の開口角で一方向に形成されている。しかし、複数方向にイベントステージ２６を設けてもよく、例えば図６に示すように、１２枚の広告パネルのうち、連続する２つの広告パネル（たとえば、１６−１、１６−１２）を可動として隣接する１つの広告パネル(１６−２；固定の広告パネル)の背後に重ねて収納すれば、４方向に開口したイベントステージ２６が設定できる。そして、その中心にドア付の遮蔽壁３０を設ければ、倉庫スペース２６ａが確保できる。
【００６０】
このように広告パネル１６を複数箇所で可動として複数方向に開口したイベントステージ２６を設ける構成とすれば、開口毎に異なるイベントが開催できる。そして、異なるイベントを同時に同一箇所で行なうことによって、集客力の大きなイベントが開催できる。
【００６１】
【発明の効果】
上記のように、請求項１記載の発明によれば、ガイド手段にガイドされることにより可動の広告パネルを固定の広告パネルの背後に移動・収納され、可動の広告パネルの位置していた可動台座上で中空形状の広告用柱体の内部空間が開放されて、台座上に開放されたスペースが設定される。そして、この台座上のスペースをイベントのスペースとすれば、スペース上の制約を受けることなく、イベントが任意に開催できる。
ガイドレ−ルに導かれて可動台座が固定台座との当接位置から容易に引出され、可動台座の引出しによって台座上にイベントのスペースが広く設定される。
台座上のスペースに展示・即売品を展示することにより、イベントが開催でき、可動の広告パネルをもとの位置に戻せば、展示・即売品を展示したまま台座上のスペースが隠される。つまり、展示・即売品を一旦展示すれば足り、搬入、展示、搬出を繰り返す必要がないため、煩雑な準備作業が不要となる。
【００６２】
請求項２記載の発明によれば、請求項１記載の発明の効果に加えて、ストッパに係合するまで引出すことにより、可動台座が常に所定位置(最大引出位置)まで引出される。
【００６３】
請求項３記載の発明によれば、請求項１、２記載の発明の効果に加えて、ストッパに保持するまでステップが回動することにより、可動台座の引出しで生じた隙間にステップ板が架設されて同一平面が設定され、台座の上に広いスペースが迅速、容易に得られる。
【００６４】
請求項４記載の発明によれば、遮蔽壁を設けることにより、遮蔽壁の前面にイベントスペースが、遮蔽壁の背後に前面に倉庫スペースが同時に設定できる。イベントスペースの脇に倉庫スペースがあれば、すこぶる便利であり、たとえば、この倉庫スペースに特産品などの展示・即売品やカタログをストックすれば、迅速、容易に補充できる。また、遮蔽壁に美的な装飾を施せば、それ自体でイベントに彩りを付加できる。
外開きのドアであるため、遮蔽壁背後の倉庫スペースを有効に利用できる。また、幅の異なる大小のドアとしたため、大きな幅のドアで大きな物の出し入れを確保し、通常は小さな幅のドアで出入りすれば、イベントスペースでの展示にさほど影響することなくドアを介して倉庫スペースに出入りできる。
【図面の簡単な説明】
【図１】  （Ａ）はこの発明に係る中空形状の広告用柱体の正面図、（Ｂ）は平面図である。
【図２】  広告用柱体の天井の底面図である。
【図３】  （Ａ）は広告用柱体の台座の拡大正面図、（Ｂ）は（Ａ）のＡ−Ａ線に沿った部分断面図である。
【図４】  （Ａ）は可動の広告パネルを移動・収納させてイベントのスペースを設定した広告用柱体の概略右側面図、（Ｂ）は（Ａ）に対応する（天井を除いた）広告用柱体の概略平面図、（Ｃ）は広告用柱体の概略正面図である。
【図５】  （Ａ）は可動台座を引出してイベントのスペースを広く設定した場合の図４（Ａ）に対応する広告用柱体の概略右側面図、（Ｂ）は図４（Ｂ）に対応する広告用柱体の概略平面図である。
【図６】  複数方向に開口したイベントのスペースを設定した（天井を除いた）広告用柱体の概略平面図である。
【符号の説明】
１０  広告用柱体
１２  台座
１２ａ  固定の台座（固定台座）
１２ｂ  可動の台座（可動台座）
１３  台座の張出し
１４  天井
１５  天井の庇
１６  広告パネル
１６−１〜１６−３、１６−１０〜１６−１２  可動の広告パネル（可動パネル）
１６−４〜１６−９  固定の広告パネル（固定パネル）
１８（１８ａ、１８ｂ）  照明器具
２０  ガイド手段（ガイド溝）
２２  転動手段（ローラ）
２６  イベントステージ（イベントスペース）
２６ａ  倉庫スペース
２８  心柱
３０  遮蔽手段（遮蔽壁）
３１（３１ａ、３１ｂ）  ドア
３２  棚の取付け孔
３６  ガイドレール
３７  可動台座のストッパ
３８  転動手段（ローラ）
４０  ステップ板
４２  ステップ板のストッパ
【図１】
0003883957.tif 000002
【図２】
0003883957.tif 000003
【図３】
0003883957.tif 000004
【図４】
0003883957.tif 000005
【図５】
0003883957.tif 000006
【図６】
0003883957.tif 000007